(57)【要約】本発明の一実施形態に係るランダムアクセス方法において、端末は、ネットワークにランダムアクセスのためのプリアンブルを伝送し、ネットワークからプリアンブルに対する応答としてランダムアクセス応答メッセージを受信する。端末は、ネットワークとの連結設定を要請するためにネットワークに連結設定要請メッセージを伝送する。ネットワークは、連結設定情報及びランダムアクセス過程での衝突解決のための衝突解決情報を一つのメッセージに含ませて端末に伝送する。メッセージに端末の端末識別子が含まれた場合、端末は、自身がランダムアクセスに成功したと判断し、連結設定情報にしたがって以後の手順を行う。また、メッセージに端末の端末識別子が含まれていない場合、端末は、自身がランダムアクセスに失敗したと判断し、所定時間が経過した後、ネットワークにランダムアクセスプリアンブルを再び伝送する。
2010507322.tif 000002
【特許請求の範囲】
【請求項１】
多重搬送波を用いる無線通信システムの端末でのランダムアクセス方法において、
ネットワークにランダムアクセスのためのプリアンブルを伝送する段階と、
前記ネットワークから前記プリアンブルに対する応答としてランダムアクセス応答メッセージを受信する段階と、
前記ネットワークに前記ネットワークとの連結設定を要請する連結設定要請メッセージを伝送する段階と、
前記ネットワークから連結設定情報及びランダムアクセス過程での衝突解決情報を含む第１メッセージを受信する段階と、を含む、ランダムアクセス方法。
【請求項２】
前記ランダムアクセス応答メッセージは、前記端末に臨時的に与えられる臨時端末識別子を含むことを特徴とする、請求項１に記載のランダムアクセス方法。
【請求項３】
前記連結設定要請メッセージは、前記端末の広域端末識別子を含むことを特徴とする、請求項２に記載のランダムアクセス方法。
【請求項４】
前記第１メッセージは、ランダムアクセスに成功した端末の広域端末識別子を含むことを特徴とする、請求項３に記載のランダムアクセス方法。
【請求項５】
制御チャネルを通して前記臨時端末識別子を用いて前記第１メッセージ受信のための制御情報を受信する段階をさらに含む、請求項４に記載のランダムアクセス方法。
【請求項６】
前記第１メッセージに前記端末の広域端末識別子が含まれた場合、前記端末は、前記連結設定情報にしたがって動作することを特徴とする、請求項４に記載のランダムアクセス方法。
【請求項７】
前記第１メッセージに前記端末の広域端末識別子が含まれた場合、前記端末がランダムアクセスプリアンブルを前記ネットワークに伝送する段階をさらに含む、請求項４に記載のランダムアクセス方法。
【請求項８】
前記連結設定は、ＲＲＣ（ｒａｄｉｏ  ｒｅｓｏｕｒｃｅ  ｃｏｎｔｒｏｌ）連結設定であることを特徴とする、請求項１に記載のランダムアクセス方法。
【請求項９】
前記広域端末識別子は、ＩＭＳＩまたはＴＭＳＩであることを特徴とする、請求項３に記載のランダムアクセス方法。
【請求項１０】
多重搬送波を用いる無線通信システムの端末でのランダムアクセス方法において、
ネットワークとの連結が設定された状態でネットワークにランダムアクセスのためのプリアンブルを伝送する第１段階と、
前記ネットワークから前記プリアンブルに対する応答として前記端末の臨時端末識別子を含むランダムアクセス応答メッセージを受信する第２段階と、
前記ネットワークにアップリンク資源の割り当てを要請する第３段階と、
前記臨時端末識別子及び前記端末の個人端末識別子を用いて前記ネットワークから資源割り当てメッセージ及び衝突解決メッセージのうち少なくとも一つのメッセージを受信する第４段階と、を含む、ランダムアクセス方法。
【請求項１１】
特定の制御チャネルを通して前記臨時端末識別子を受信する段階と、
前記臨時端末識別子によって指示される前記衝突解決メッセージを受信する段階と、を含む、請求項１０に記載のランダムアクセス方法。
【請求項１２】
前記衝突解決メッセージに前記端末の個人端末識別子が含まれた場合、前記個人端末識別子を用いて前記資源割り当てメッセージを受信する段階をさらに含む、請求項１１に記載のランダムアクセス方法。
【請求項１３】
前記第４段階において、
前記個人端末識別子が含まれた資源割り当てメッセージを受信する場合、前記資源割り当てメッセージに含まれた資源割り当て情報にしたがってアップリンクデータを前記ネットワークに伝送する段階をさらに含む、請求項１０に記載のランダムアクセス方法。
【請求項１４】
前記衝突解決メッセージに前記端末の個人端末識別子が含まれていない場合、一定時間の経過後に前記ネットワークにランダムアクセスプリアンブルを伝送する段階をさらに含む、請求項１１に記載のランダムアクセス方法。
【請求項１５】
前記臨時端末識別子によって指示される衝突解決メッセージは受信しないことを特徴とする、請求項１３に記載のランダムアクセス方法。
【請求項１６】
前記資源割り当てメッセージは制御チャネルを通して受信され、前記衝突解決メッセージはデータチャネルを通して受信されることを特徴とする、請求項１２に記載のランダムアクセス方法。
【請求項１７】
前記資源割り当てメッセージは、制御チャネルを通して受信されることを特徴とする、請求項１３に記載のランダムアクセス方法。
【請求項１８】
前記衝突解決メッセージは、ＭＡＣ制御ＰＤＵに含まれて受信されることを特徴とする、請求項１６に記載のランダムアクセス方法。
【発明の詳細な説明】
【技術分野】
【０００１】
本発明は、無線通信システムに関するもので、より詳細には、無線通信システムでのランダムアクセス遂行方法に関するものである。
【背景技術】
【０００２】
非同期方式移動通信システム規格（３ＧＰＰ：３ｒｄ  Ｇｅｎｅｒａｔｉｏｎ  Ｐａｒｔｎｅｒｓｈｉｐ  Ｐｒｏｊｅｃｔ）によるＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システムにおいて、ネットワーク（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）から端末にデータを伝送するダウンリンク伝送チャネルとしては、システム情報を伝送する放送チャネル（ＢＣＨ：Ｂｒｏａｄｃａｓｔ  Ｃｈａｎｎｅｌ）と、使用者トラフィックや制御メッセージを伝送するダウンリンク共有チャネル（ＤＬ−ＳＣＨ：Ｄｏｗｎｌｉｎｋ  Ｓｈａｒｅｄ  Ｃｈａｎｎｅｌ）とがある。ダウンリンクマルチキャストまたは放送サービス（ＭＢＭＳ：Ｍｕｌｔｉｍｅｄｉａ  Ｂｒｏａｄｃａｓｔｉｎｇ  ａｎｄ  Ｍｕｌｔｉｃａｓｔ  Ｓｅｒｖｉｃｅ）のトラフィックまたは制御メッセージの場合、ＤＬ−ＳＣＨまたは別途のダウンリンクマルチキャストチャネル（ＭＣＨ：Ｍｕｌｔｉｃａｓｔ  Ｃｈａｎｎｅｌ）を通して伝送される。一方、端末からネットワークにデータを伝送するアップリンク伝送チャネルとしては、初期制御メッセージを伝送するランダムアクセスチャネル（ＲＡＣＨ：Ｒａｎｄｏｍ  Ａｃｃｅｓｓ  Ｃｈａｎｎｅｌ）と、使用者トラフィックや制御メッセージを伝送するアップリンク共有チャネル（ＵＬ−ＳＣＨ：Ｕｐｌｉｎｋ  Ｓｈａｒｅｄ  Ｃｈａｎｎｅｌ）とがある。
【０００３】
以下では、ＷＣＤＭＡシステムでのＲＡＣＨに対して説明する。ＲＡＣＨは、アップリンクに短い長さのデータを伝送するために使用され、ＲＲＣ連結要請メッセージ、セル更新メッセージ、ＵＲＡ更新メッセージなどの一部のＲＲＣメッセージもＲＡＣＨを通して伝送される。論理チャネルＣＣＣＨ（Ｃｏｍｍｏｎ  Ｃｏｎｔｒｏｌ  Ｃｈａｎｎｅｌ）、ＤＣＣＨ（Ｄｅｄｉｃａｔｅｄ  Ｃｏｎｔｒｏｌ  Ｃｈａｎｎｅｌ）、ＤＴＣＨ（Ｄｅｄｉｃａｔｅｄ  Ｔｒａｆｆｉｃ  Ｃｈａｎｎｅｌ）が伝送チャネルＲＡＣＨにマッピングされることがあり、伝送チャネルＲＡＣＨは、再び物理チャネルＰＲＡＣＨ（Ｐｈｙｓｉｃａｌ  Ｒａｎｄｏｍ  Ａｃｃｅｓｓ  Ｃｈａｎｎｅｌ）にマッピングされる。
【０００４】
端末のＭＡＣ（Ｍｅｄｉｕｍ  Ａｃｃｅｓｓ  Ｃｏｎｔｒｏｌ）階層が端末物理階層にＰＲＡＣＨ伝送を指示すると、端末物理階層は、まず、一つのアクセススロット及び一つのシグネチャ（ｓｉｇｎａｔｕｒｅ）を選択し、ＰＲＡＣＨプリアンブルをアップリンクに伝送する。前記プリアンブルは、１．３３ｍｓ長さのアクセススロット区間の間に伝送され、アクセススロットの最初の一定長さの間に１６個のシグネチャのうち一つのシグネチャを選択して伝送する。端末がプリアンブルを伝送すると、基地局は、ダウンリンク物理チャネルＡＩＣＨ（Ａｃｑｕｉｓｉｔｉｏｎ  Ｉｎｄｉｃａｔｏｒ  Ｃｈａｎｎｅｌ）を通して応答信号を伝送する。前記プリアンブルに対する応答として伝送されるＡＩＣＨは、前記プリアンブルが伝送されたアクセススロットに対応するアクセススロットの最初の一定長さの間に前記プリアンブルが選択したシグネチャを伝送する。このとき、基地局は、前記ＡＩＣＨが伝送するシグネチャを通して肯定的な応答（ＡＣＫ：Ａｃｋｎｏｗｌｅｄｇｅｍｅｎｔ）または否定的な応答（ＮＡＣＫ：Ｎｏｎ−ａｃｋｎｏｗｌｅｄｇｅｍｅｎｔ）を端末に伝送する。端末がＡＣＫを受信すると、端末は、前記伝送したシグネチャに対応するＯＶＳＦ（Ｏｒｔｈｏｇｏｎａｌ  Ｖａｒｉａｂｌｅ  Ｓｐｒｅａｄｉｎｇ  Ｆａｃｔｏｒ）コードを使用して１０ｍｓまたは２０ｍｓ長さのメッセージ部分を伝送する。そして、端末がＮＡＣＫを受信すると、端末ＭＡＣは、適当な時間以後に端末物理階層に再びＰＲＡＣＨ伝送を指示する。一方、端末が伝送したプリアンブルに対応するＡＩＣＨを受信していない場合、端末は、定められたアクセススロット以後に、以前のプリアンブルより一段階高い電力で新しいプリアンブルを伝送する。
【０００５】
以下では、ＷＣＤＭＡシステムで端末がＲＡＣＨを用いてメッセージを伝送するケースに対して説明する。
【０００６】
まず、休止モード（Ｉｄｌｅ  Ｍｏｄｅ）にある端末がＲＡＣＨを通してネットワークに初期制御メッセージを伝送するケースがある。一般的に、端末がネットワークとの時間同期を合わせる場合、そして、アップリンクへのデータ伝送が必要であるが、前記データを伝送するアップリンクの無線資源がないときに端末が無線資源を獲得する場合、端末はＲＡＣＨを用いる。例えば、端末が電源をオンにして新しいセルに最初に接近する場合、一般的に、端末は、ダウンリンクの同期を合わせ、接続しようとするセルでのシステム情報を受信する。そして、前記システム情報を受信した後、前記端末は、ＲＲＣ連結のために接続要請メッセージを伝送する。しかしながら、前記端末は、現在ネットワークとの時間同期も合っていない状態で、かつ、アップリンクの無線資源も確保されていない状態であるので、ＲＡＣＨを用いるようになる。すなわち、前記端末は、ＲＡＣＨを用いてネットワークに連結要請メッセージ伝送のための無線資源を要請する。そして、該当の無線資源の要請を受けた基地局は、前記端末にＲＲＣ連結要請メッセージを伝送できるように適当な無線資源を割り当てる。そうすると、前記端末は、前記無線資源を通してＲＲＣ連結要請メッセージを網に伝送することができる。
【０００７】
二番目には、端末とネットワークとのＲＲＣ連結がなされた状態で、ＲＲＣ連結モードにある端末がＲＡＣＨを用いるケースがある。この場合、ネットワークの無線資源スケジューリングにしたがって、端末は、無線資源の割り当てを受け、割り当てられた無線資源を通してデータをネットワークに伝送する。しかしながら、伝送するデータが端末のバッファーに残っていない場合、ネットワークは、前記端末にこれ以上アップリンクの無線資源を割り当てないはずである。なぜなら、伝送するデータを有していない端末にアップリンクの無線資源を割り当てることは非効率的であるためである。端末のバッファー状態は、周期的にまたは特定イベントの発生時ごとにネットワークに報告される。前記状況のように、無線資源のない端末のバッファーに新しいデータが生じると、前記端末に割り当てられたアップリンクの無線資源がないので、前記端末はＲＡＣＨを用いるようになる。すなわち、前記端末は、ＲＡＣＨを用いてデータの伝送に必要な無線資源をネットワークに要請する。
【０００８】
ＲＡＣＨは、アップリンク共用チャネルとして、ネットワークに初期接続を試みようとする全ての端末が使用可能なチャネルである。したがって、二つ以上の端末が同時にＲＡＣＨを使用する場合、衝突が発生するようになる。二つ以上の端末による衝突が発生した場合、ネットワークは、それらのうち一つの端末を選択して正常的な手順を進行させ、残りの端末に対しては、衝突発生による問題を解決した後で次の手順を進行させるべきである。この場合、選択された端末に対するランダムアクセス以後の手順進行過程での遅延を発生させないとともに、選択されていない各端末に対する衝突発生による問題を円滑に解決できる手順を定義する必要性が提起される。
【発明の概要】
【発明が解決しようとする課題】
【０００９】
本発明は、上記のような従来技術の問題点を解決するためになされたもので、その目的は、無線通信システムで不必要な遅延を防止できるランダムアクセス方法を提供することにある。
【００１０】
本発明の他の目的は、無線通信システムで無線資源を効率的に使用できるランダムアクセス方法を提供することにある。
【課題を解決するための手段】
【００１１】
本発明の一実施形態に係るランダムアクセス方法において、端末は、ネットワークにランダムアクセスのためのプリアンブルを伝送し、前記ネットワークから前記プリアンブルに対する応答としてランダムアクセス応答メッセージを受信する。前記端末は、前記ネットワークとの連結設定を要請するために前記ネットワークに連結設定要請メッセージを伝送する。前記ネットワークは、連結設定情報及びランダムアクセス過程での衝突解決のための衝突解決情報を一つのメッセージに含ませて前記端末に伝送する。前記メッセージに前記端末の端末識別子が含まれた場合、前記端末は、自身がランダムアクセスに成功したと判断し、前記連結設定情報にしたがって以後の手順を行う。また、前記メッセージに前記端末の端末識別子が含まれていない場合、前記端末は、自身がランダムアクセスに失敗したと判断し、所定時間が経過した後、前記ネットワークにランダムアクセスプリアンブルを再び伝送する。
【００１２】
本発明の他の実施形態に係るランダムアクセス方法において、端末は、ネットワークとの連結が設定された状態でネットワークにランダムアクセスのためのプリアンブルを伝送し、前記ネットワークから前記プリアンブルに対する応答として前記端末の臨時端末識別子を含むランダムアクセス応答メッセージを受信する。前記端末は、アップリンクデータを伝送するために、前記ネットワークにアップリンク資源の割り当てを要請する。前記ネットワークは、前記端末に前記資源割り当てメッセージ及び衝突解決メッセージのうち少なくとも一つを伝送する。前記端末は、前記臨時端末識別子及び前記端末の個人端末識別子を用いて前記ネットワークから資源割り当てメッセージ及び衝突解決メッセージのうち少なくとも一つのメッセージを受信する。
【発明の効果】
【００１３】
本発明によると、無線通信システムランダムアクセス過程で不必要な遅延を防止でき、無線資源を効率的に使用できるという効果がある。
【図面の簡単な説明】
【００１４】
【図１】Ｅ−ＵＭＴＳの網構造を示した図である。
【図２】Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の概略的な構成図である。
【図３Ａ】端末（ＵＥ）とＥ−ＵＴＲＡＮとの間の無線インターフェースプロトコルの構造における制御平面プロトコル構成図である。
【図３Ｂ】端末（ＵＥ）とＥ−ＵＴＲＡＮとの間の無線インターフェースプロトコルの構造における使用者平面プロトコル構成図である。
【図４】Ｅ−ＵＭＴＳシステムで使用する物理チャネル構造の一例を示した図である。
【図５】本発明に係る一実施例の手順フローチャートである。
【図６】本発明に係る他の実施例の手順フローチャートである。
【発明を実施するための形態】
【００１５】
以下で添付された図面を参照して説明された本発明の各実施例を通して、本発明の構成、作用及び他の特徴を容易に理解できるだろう。以下で説明される各実施例は、本発明の技術的特徴がＥ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）に適用された各例である。
【００１６】
図１は、Ｅ−ＵＭＴＳの網構造を示した図である。Ｅ−ＵＭＴＳシステムは、既存のＷＣＤＭＡ  ＵＭＴＳシステムから進化したシステムで、現在、３ＧＰＰ（３ｒｄ  Ｇｅｎｅｒａｔｉｏｎ  Ｐａｒｔｎｅｒｓｈｉｐ  Ｐｒｏｊｅｃｔ）で基礎的な標準化作業を進行している。Ｅ−ＵＭＴＳは、ＬＴＥ（Ｌｏｎｇ  Ｔｅｒｍ  Ｅｖｏｌｕｔｉｏｎ）システムとも呼ばれる。ＵＭＴＳ及びＥ−ＵＭＴＳの技術規格の詳細な内容は、それぞれ“３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ”のＲｅｌｅａｓｅ７及びＲｅｌｅａｓｅ８を参照することができる。
【００１７】
図１を参照すると、Ｅ−ＵＴＲＡＮは、基地局（以下、‘ｅＮｏｄｅ  Ｂ’または‘ｅＮＢ’と略称する。）で構成されており、各ｅＮＢはＸ２インターフェースを通して連結される。ｅＮＢは、無線インターフェースを通して端末（Ｕｓｅｒ  Ｅｑｕｉｐｍｅｎｔ；以下、ＵＥと略称する。）と連結され、Ｓ１インターフェースを通してＥＰＣ（Ｅｖｏｌｖｅｄ  Ｐａｃｋｅｔ  Ｃｏｒｅ）に連結される。ＥＰＣは、ＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイを含む。
【００１８】
端末とネットワークとの間の無線インターフェースプロトコルの各階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個の階層に基づいてＬ１（第１階層）、Ｌ２（第２階層）及びＬ３（第３階層）に区分されるが、これらのうち、第１階層に属する物理階層は、物理チャネルを用いた情報伝送サービスを提供し、第３階層に位置する無線資源制御（Ｒａｄｉｏ  Ｒｅｓｏｕｒｃｅ  Ｃｏｎｔｒｏｌ；以下、ＲＲＣと略称する。）階層は、端末とネットワークとの間に無線資源を提供する役割を行う。このために、ＲＲＣ階層は、端末とネットワークとの間にＲＲＣメッセージを互いに交換する。ＲＲＣ階層は、Ｎｏｄｅ  Ｂ及びＡＧなどのネットワークノードに分散されて位置するか、Ｎｏｄｅ  ＢまたはＡＧに独立的に位置する。
【００１９】
図２は、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の概略的な構成図である。図２において、ハッチングした部分は、使用者平面の機能的エンティティを示しており、ハッチングしていない部分は、制御平面の機能的エンティティを示している。
【００２０】
図３Ａ及び図３Ｂは、端末（ＵＥ）とＥ−ＵＴＲＡＮとの間の無線インターフェースプロトコルの構造を示した図で、図３Ａが制御平面プロトコル構成図で、図３Ｂが使用者平面プロトコル構成図である。図３Ａ及び図３Ｂの無線インターフェースプロトコルは、水平的には物理階層、データリンク階層及びネットワーク階層からなり、垂直的には、データ情報伝送のための使用者平面と制御信号伝達のための制御平面とに区分される。図３Ａ及び図３Ｂのプロトコル階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個の階層に基づいてＬ１（第１階層）、Ｌ２（第２階層）及びＬ３（第３階層）に区分される。
【００２１】
第１階層である物理階層は、物理チャネルを用いて上位階層に情報伝送サービスを提供する。物理階層は、上位にある媒体接続制御階層とは伝送チャネルを通して連結されており、この伝送チャネルを通して媒体接続制御階層と物理階層との間のデータが移動する。そして、互いに異なる物理階層の間、すなわち、送信側と受信側の物理階層の間には物理チャネルを通してデータが移動する。Ｅ−ＵＭＴＳにおける前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調され、これによって時間と周波数を無線資源として活用する。
【００２２】
第２階層の媒体接続制御（Ｍｅｄｉｕｍ  Ａｃｃｅｓｓ  Ｃｏｎｔｒｏｌ；以下、ＭＡＣと略称する。）階層は、論理チャネルを通して上位階層である無線リンク制御階層にサービスを提供する。第２階層の無線リンク制御（Ｒａｄｉｏ  Ｌｉｎｋ  Ｃｏｎｔｒｏｌ；以下、ＲＬＣと略称する。）階層は、信頼性のあるデータの伝送を支援する。第２階層のＰＤＣＰ階層は、ＩＰｖ４やＩＰｖ６のようなＩＰパケットを用いて伝送されるデータを相対的に帯域幅の小さい無線区間で効率的に伝送するために、不必要な制御情報を減少させるヘッダー圧縮機能を行う。
【００２３】
第３階層の最下部に位置した無線資源制御（Ｒａｄｉｏ  Ｒｅｓｏｕｒｃｅ  Ｃｏｎｔｒｏｌ；以下、ＲＲＣと略称する。）階層は、制御平面のみで定義され、無線ベアラ（Ｒａｄｉｏ  Ｂｅａｒｅｒ；以下、ＲＢと略称する。）の設定、再設定及び解除と関連して論理チャネル、伝送チャネル及び物理チャネルの制御を担当する。このとき、ＲＢは、端末とＵＴＲＡＮとの間のデータ伝達のために第２階層によって提供されるサービスを意味する。
【００２４】
ネットワークから端末にデータを伝送するダウンリンク伝送チャネルとしては、システム情報を伝送するＢＣＨ（Ｂｒｏａｄｃａｓｔ  Ｃｈａｎｎｅｌ）、ページングメッセージを伝送するＰＣＨ（Ｐａｇｉｎｇ  Ｃｈａｎｎｅｌ）、使用者トラフィックや制御メッセージを伝送するダウンリンクＳＣＨ（Ｓｈａｒｅｄ  Ｃｈａｎｎｅｌ）がある。ダウンリンクマルチキャストまたは放送サービスのトラフィックまたは制御メッセージの場合、ダウンリンクＳＣＨまたは別途のダウンリンクＭＣＨ（Ｍｕｌｔｉｃａｓｔ  Ｃｈａｎｎｅｌ）を通して伝送される。一方、端末から網にデータを伝送するアップリンク伝送チャネルとしては、初期制御メッセージを伝送するＲＡＣＨ（Ｒａｎｄｏｍ  Ａｃｃｅｓｓ  Ｃｈａｎｎｅｌ）や、使用者トラフィックや制御メッセージを伝送するアップリンクＳＣＨ（Ｓｈａｒｅｄ  Ｃｈａｎｎｅｌ）がある。
【００２５】
伝送チャネルの上位にあり、伝送チャネルにマッピングされる論理チャネルとしては、ＢＣＣＨ（Ｂｒｏａｄｃａｓｔ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２６】
Ｅ−ＵＭＴＳシステムでは、ダウンリンクでＯＦＤＭ方式を使用し、アップリンクではＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式を使用する。多重搬送波方式であるＯＦＤＭシステムは、搬送波の一部をグループ化した多数の副搬送波単位で資源を割り当てるシステムであり、接続方式としてＯＦＤＭＡ（Ｏｒｔｈｏｇｏｎａｌ  Ｆｒｅｑｕｅｎｃｙ    Ｄｉｖｉｓｉｏｎ  Ｍｕｌｔｉｐｌｅ  Ａｃｃｅｓｓ）を使用する。
【００２７】
ＯＦＤＭまたはＯＦＤＭＡシステムの物理階層では、活性搬送波をグループに分離し、各グループをそれぞれ異なる受信側に送信する。各ＵＥに割り当てられる無線資源は、２次元空間の時間−周波数領域によって定義され、連続的な副搬送波の集合である。ＯＦＤＭまたはＯＦＤＭＡシステムにおける一つの時間−周波数領域は、時間座標と副搬送波座標によって決定される直四角形に区分される。すなわち、一つの時間−周波数領域は、少なくとも一つ以上の時間軸上でのシンボルと多数の周波数軸上での副搬送波によって区画される直四角形に区分される。このような時間−周波数領域は、特定のＵＥのアップリンクに割り当てられる。また、ダウンリンクでは、特定の使用者に基地局が時間−周波数領域を伝送することができる。このような時間−周波数領域を２次元空間で定義するためには、時間領域でのＯＦＤＭシンボルの数と、周波数領域での基準点からのオフセットだけ離れた位置から開始される連続的な副搬送波の数が与えられるべきである。
【００２８】
現在議論が進行中であるＥ−ＵＭＴＳシステムでは、１０ｍｓの無線フレームを使用し、一つの無線フレームは、２０個のサブフレームで構成される。すなわち、一つのサブフレームは０．５ｍｓである。一つのリソースブロックは、一つのサブフレーム及びそれぞれ１５ｋＨｚ帯域である１２個の副搬送波で構成される。また、一つのサブフレームは、多数のＯＦＤＭシンボルで構成され、多数のＯＦＤＭシンボルのうち一部のシンボル（例えば、１番目のシンボル）は、Ｌ１／Ｌ２制御情報を伝送するために使用される。
【００２９】
図４は、Ｅ−ＵＭＴＳシステムで使用する物理チャネル構造の一例を示した図で、一つのサブフレームは、Ｌ１／Ｌ２制御情報伝送領域（ハッチングした部分）及びデータ伝送領域（ハッチングしていない部分）で構成される。
【００３０】
図５は、本発明に係る好適な一実施例の手順フローチャートである。図５の実施例は、休止モードにある端末の初期ランダムアクセス過程に本発明の技術的特徴が適用された例である。
【００３１】
図５を参照すると、端末（ＵＥ）は、基地局（ｅＮＢ）にランダムアクセスプリアンブルを伝送する（Ｓ５１）。すなわち、前記端末は、一つのアクセススロットを通して多数のシグネチャのうち特定のシグネチャを選択し、これを前記基地局に伝送する。このとき、前記基地局がアップリンクメッセージ伝送のための資源割り当てを行えるようにアップリンクメッセージ情報またはチャネル測定情報を前記ランダムアクセスプリアンブルに含ませることができる。この場合、二つ以上の端末が同一のシグネチャのような同一の無線資源を使用して同時にランダムアクセスプリアンブルのアップリンク伝送を行うと、衝突が発生するようになる。
【００３２】
前記基地局は、前記ランダムアクセスプリアンブルに対する応答としてランダムアクセス応答メッセージを前記端末に伝送する（Ｓ５２）。前記ランダムアクセス応答メッセージは、前記端末が伝送したシグネチャ、前記ランダムアクセスプリアンブル伝送に対する承諾または拒絶に対する情報、前記端末に割り当てる無線網臨時端末識別子（Ｔｅｍｐｏｒａｒｙ  Ｃ−ＲＮＴＩ、Ｃｅｌｌ  Ｒａｄｉｏ  Ｎｅｔｗｏｒｋ  Ｔｅｍｐｏｒａｒｙ  Ｉｄｅｎｔｉｆｉｅｒ）及びＲＲＣ連結要請メッセージの伝送と関連した制御情報を含む。前記ＲＲＣ連結要請メッセージ伝送と関連した制御情報は、無線資源割り当て情報、メッセージ大きさ、ＲＲＣ連結要請メッセージ伝送のための無線パラメーター（変調及びコーディング情報、Ｈｙｂｒｉｄ  ＡＲＱ情報など）を含む。
【００３３】
前記基地局は、Ｌ１／Ｌ２制御チャネルを通して前記端末に前記ランダムアクセス応答メッセージの受信のためのシグナリング情報を伝送する。前記シグナリング情報は、前記ランダムアクセス応答メッセージの伝送を指示するＲＡ−ＲＮＴＩ（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ）及び前記ランダムアクセス応答メッセージ伝送と関連した伝送パラメーターを含む。前記  ＲＡ−ＲＮＴＩは、システム情報などを通して前記端末から前記基地局に予め伝達された情報であるので、前記端末は、ＲＡ−ＲＮＴＩを用いてＬ１／Ｌ２制御チャネルを通して前記シグナリング情報を獲得し、獲得されたシグナリング情報を用いて前記ランダムアクセス応答メッセージを受信する。
【００３４】
前記ランダムアクセス応答メッセージに前記端末が伝送したシグネチャが含まれており、前記シグネチャ伝送に対する承諾を意味する情報が含まれている場合、前記端末は、前記基地局にＲＲＣ連結要請メッセージを伝送する（Ｓ５３）。このとき、前記端末は、前記ランダムアクセス応答メッセージに含まれたアップリンク無線資源割り当て情報、メッセージ大きさ、無線パラメーターを用いて前記基地局に前記ＲＲＣ連結要請メッセージを伝送する。前記ＲＲＣ連結要請メッセージには、前記端末を識別するための端末識別子が含まれる。前記端末識別子の例として、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）やＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）などのような広域端末識別子を挙げることができる。
【００３５】
前記ランダムアクセス応答メッセージに前記端末が伝送したシグネチャが含まれており、前記シグネチャ伝送に対する拒絶を意味する情報が含まれている場合、または、前記端末が伝送したシグネチャが前記ランダムアクセス応答メッセージに含まれていない場合、前記端末は、ＲＲＣ連結要請メッセージを伝送せずに、一定時間以後にランダムアクセスプリアンブルを再伝送する。
【００３６】
前記端末から前記ＲＲＣ連結要請メッセージを受信すると、前記基地局のＲＲＣ階層は、前記端末にＲＲＣ連結設定メッセージ及びＲＲＣ衝突解決メッセージを伝送する。前記ＲＲＣ連結設定メッセージ及びＲＲＣ衝突解決メッセージは、一つのＲＲＣメッセージに含まれて伝送されることが好ましい。他の一例として、前記基地局は、前記端末に前記ＲＲＣ連結設定メッセージを伝送した後、前記ＲＲＣ衝突解決メッセージを伝送することができる。
【００３７】
前記ＲＲＣ連結設定メッセージ及びＲＲＣ衝突解決メッセージを一つのＲＲＣメッセージに含ませて伝送することで、メッセージに含まれるパディング（ｐａｄｄｉｎｇ）を減少できるようになり、無線資源を効率的に使用することができる。前記ＲＲＣメッセージには、ランダムアクセスに成功した端末の端末識別子が含まれる。前記端末識別子は、前記端末から伝送された前記ＲＲＣ連結要請メッセージに含まれた端末識別子、例えば、ＩＭＳＩ、ＴＭＳＩなどであることが好ましい。
【００３８】
多数の端末がランダムアクセスプリアンブルまたはＲＲＣ連結設定メッセージの伝送過程で衝突した場合、ランダムアクセスに成功した一つの端末のみが前記ＲＲＣ連結設定メッセージにしたがって動作する。ここで、前記端末がランダムアクセスに成功したことは、前記端末が伝送したランダムアクセスプリアンブルが前記基地局によって成功的に受信され、その後のＲＲＣ連結要請が成功的に行われたことを意味する。
【００３９】
上述したように、前記ＲＲＣメッセージに含まれる前記ＲＲＣ連結設定メッセージは、ランダムアクセスに成功した端末のＩＭＳＩ、ＴＭＳＩなどのような前記広域端末識別子を含む。前記端末は、自身の臨時Ｃ−ＲＮＴＩを用いてＬ１／Ｌ２制御チャネルを通して前記ＲＲＣメッセージの受信のために必要な制御情報を受信する。例えば、前記臨時Ｃ−ＲＮＴＩを用いてＬ１／Ｌ２制御チャネルの特定チャネルのＣＲＣ（Ｃｙｃｌｉｃ  Ｒｅｄｕｎｄａｎｃｙ  Ｃｏｄｅ）検査を行った結果にしたがって、前記特定のチャネルが自身に伝送されるかどうかを把握することができる。他の例として、前記端末は、自身の臨時Ｃ−ＲＮＴＩが  Ｌ１／Ｌ２制御チャネルを通して受信される場合、前記臨時Ｃ−ＲＮＴＩによって指示されるメッセージを受信する。前記特定のチャネルが自身に伝送される場合、前記特定のチャネルを通して伝送される制御情報を用いてデータ領域のダウンリンクチャネル、例えば、ダウンリンク共有チャネル（ｄｏｗｎｌｉｎｋ  ｓｈａｒｅｄ  ｃｈａｎｎｅｌ：ＤＬ−ＳＣＨ）に伝送される前記ＲＲＣメッセージを受信する。
【００４０】
前記端末は、前記ＲＲＣ連結設定メッセージに前記ＲＲＣ連結要請メッセージを通して伝送した広域端末識別子が含まれている場合、自身がランダムアクセスに成功したと判断し、前記ＲＲＣ連結設定メッセージを自身のためのメッセージとして認識する。このとき、前記端末は、前記臨時端末識別子を今後にネットワークとの通信を行うための個人端末識別子（ｐｒｉｖａｔｅ  Ｃ−ＲＮＴＩ）として用いる。
【００４１】
前記ＲＲＣメッセージに前記ＲＲＣ連結要請メッセージを通して伝送した前記広域端末識別子が含まれていない場合、前記端末は、自身がランダムアクセスに失敗したと判断する。また、前記端末は、一定時間の間、自身の広域端末識別子が含まれたＲＲＣメッセージを受信していない場合にも、自身がランダムアクセスに失敗したと判断する。このとき、前記端末は、一定時間以後に前記基地局にランダムアクセスプリアンブルを再伝送することで、ランダムアクセス手順を再び開始することができる。
【００４２】
以上説明した本発明の各実施例は、無線リンク失敗以後またはハンドオーバー完了以後に行われる初期接続のためのランダムアクセス過程にも適用される。
【００４３】
図６は、本発明に係る他の実施例の手順フローチャートである。図６の実施例は、ＲＲＣ連結モードにある端末のランダムアクセス過程に本発明の技術的特徴が適用された例である。例えば、端末は、基地局に伝送するデータがあるが、このための無線資源の割り当てを受けていない場合、ＲＡＣＨを通したランダムアクセス過程を通してデータを伝送することができる。以下で説明される各実施例は、基地局がＲＲＣ連結モード状態にある端末に伝送されるべきダウンリンクデータを有しているが、アップリンク同期が合っていない場合にも適用される。
【００４４】
図６を参照すると、端末（ＵＥ）は、基地局にランダムアクセスプリアンブルを伝送し（Ｓ６１）、前記基地局から前記ランダムアクセスプリアンブルに対する応答としてランダムアクセス応答メッセージを受信する（Ｓ６２）。Ｓ６１及びＳ６２段階は、図５のＳ５１及びＳ５２段階と同様であるので、それに対する説明を省略する。
【００４５】
前記ランダムアクセス応答メッセージに前記端末が伝送したシグネチャが含まれており、前記シグネチャ伝送に対する承諾を意味する情報が含まれている場合、前記端末は、前記基地局にＭＡＣスケジューリング要請メッセージを伝送する（Ｓ６３）。このとき、前記端末は、前記ランダムアクセス応答メッセージに含まれた無線資源割り当て情報、メッセージ大きさ、無線パラメーターを用いて前記ＭＡＣスケジューリング要請メッセージを伝送する。前記ＭＡＣスケジューリング要請メッセージには、前記端末を識別するための広域端末識別子を含ませることが好ましい。前記端末識別子としては、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）やＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）などのような広域端末識別子を挙げることができる。図５の実施例と異なる点は、スケジューリング要請及び衝突解決手順がＭＡＣ階層によって行われる点にある。
【００４６】
前記ランダムアクセス応答メッセージに前記端末が伝送したシグネチャが含まれており、前記シグネチャ伝送に対する拒絶を意味する情報が含まれている場合、または、前記端末が伝送したシグネチャが前記ランダムアクセス応答メッセージに含まれていない場合、前記端末は、ＭＡＣスケジューリング要請メッセージを伝送せずに、一定時間以後にランダムアクセスプリアンブルを再伝送する。
【００４７】
前記端末から前記ＭＡＣスケジューリング要請メッセージを受信すると、前記基地局のＭＡＣ階層は、前記端末に資源割り当てメッセージ及びＭＡＣ衝突解決メッセージを伝送する（Ｓ６４）。前記基地局は、前記資源割り当てメッセージ及びＭＡＣ衝突解決メッセージを同時に伝送したり、または、前記資源割り当てメッセージを伝送した後、前記ＭＡＣ衝突解決メッセージを伝送することができる。
【００４８】
前記資源割り当てメッセージは、Ｌ１／Ｌ２制御チャネルを通して伝送されるか、ＡＧＣＨ（Ａｂｓｏｌｕｔｅ  Ｇｒａｎｔ  Ｃｈａｎｎｅｌ）またはＲＧＣＨ（Ｒｅｌａｔｉｖｅ  Ｇｒａｎｔ  Ｃｈａｎｎｅｌ）などのような資源割り当てのための物理チャネルを用いてＬ１シグナリングを通して伝送される。その反面、前記ＭＡＣ衝突解決メッセージは、ＭＡＣ制御ＰＤＵの形態で伝送される。他の実施例として、前記基地局は、前記資源割り当てメッセージ及びＭＡＣ衝突解決メッセージを結合し、これを一つのＭＡＣ制御ＰＤＵの形態で前記端末に伝送することができる。また、他の実施例として、前記基地局が前記資源割り当てメッセージ及びＭＡＣ衝突解決メッセージをＬ１／Ｌ２制御チャネルを通して前記端末に伝送する方法も考慮することができる。前記ＭＡＣ制御ＰＤＵは、ヘッダー及びペイロードで構成され、前記ヘッダーには、ＭＡＣ制御ＰＤＵであることを知らせる情報と、該当のＭＡＣ制御ＰＤＵに前記資源割り当てメッセージまたは前記ＭＡＣ衝突解決メッセージが含まれて伝送されることを知らせる指示子が含まれる。前記ペイロードには、前記資源割り当てまたはＭＡＣ衝突解決メッセージの内容が含まれる。
【００４９】
前記ＭＡＣ衝突解決メッセージが一つのＭＡＣ制御ＰＤＵの形態で伝送される場合、前記ＭＡＣ制御ＰＤＵには、ランダムアクセスに成功した端末の個人Ｃ−ＲＮＴＩ（ｐｒｉｖａｔｅ  Ｃ−ＲＮＴＩ）が含まれる。一つのＭＡＣ制御ＰＤＵに一つの端末の個人Ｃ−ＲＮＴＩが含まれる場合、無線資源の浪費問題が発生するおそれがあるので、一定時間の間にランダムアクセスに成功した多数の端末の個人Ｃ−ＲＮＴＩを一つのＭＡＣ衝突解決メッセージに含ませることができる。
【００５０】
ＲＲＣ連結モード状態にある端末は、ランダムアクセスを試みる前に既に自身の個人Ｃ−ＲＮＴＩを知っているので、前記基地局は、衝突で通過した端末の個人Ｃ−ＲＮＴＩを前記資源割り当てメッセージに含ませて伝送する。前記資源割り当てメッセージがＬ１シグナリングを通して伝送される場合、前記端末が資源割り当てチャネルまたはＬ１／Ｌ２制御チャネルを通して自身の個人Ｃ−ＲＮＴＩが含まれた資源割り当てメッセージを受信したとき、前記端末は、前記資源割り当てメッセージを自身のためのメッセージとして認識する。一方、前記資源割り当てチャネルまたはＬ１／Ｌ２制御チャネルを通して前記端末が自身の個人Ｃ−ＲＮＴＩが含まれていない資源割り当てメッセージを受信したとき、前記端末は、前記資源割り当てメッセージを自身のためのメッセージとして認識しない。
【００５１】
前記資源割り当てメッセージが前記ＭＡＣ制御ＰＤＵの形態で伝送される場合、前記ＭＡＣ制御ＰＤＵの伝送を指示するためにＬ１／Ｌ２制御チャネルに含まれる制御情報は、前記端末の個人Ｃ−ＲＮＴＩを含む。したがって、前記端末は、前記Ｌ１／Ｌ２制御チャネルに前記個人Ｃ−ＲＮＴＩが含まれている場合のみに前記資源割り当てメッセージを受信する。
【００５２】
前記ＭＡＣ衝突解決メッセージの伝送を指示するために前記基地局からＬ１／Ｌ２制御チャネルを通して伝送される制御情報は、前記無線網臨時端末識別子（Ｔｅｍｐｏｒａｒｙ  Ｃ−ＲＮＴＩ）を含む。したがって、前記端末は、前記Ｌ１／Ｌ２制御チャネルに前記無線網臨時Ｃ−ＲＮＴＩが含まれている場合のみに前記ＭＡＣ衝突解決メッセージを受信することができる。前記臨時Ｃ−ＲＮＴＩは、前記端末が前記ランダムアクセス応答メッセージを通して前記基地局から割り当てを受けた端末識別子である。前記端末がＬ１／Ｌ２制御チャネルを通して自身の臨時Ｃ−ＲＮＴＩを受信すると、Ｌ１／Ｌ２制御チャネルを通して伝送される制御情報を用いて前記ＭＡＣ衝突解決メッセージを受信する。前記ＭＡＣ衝突解決メッセージは、衝突で通過した端末の広域端末識別子を含む。
【００５３】
以下では、資源割り当てメッセージがＬ１／Ｌ２制御チャネルを通して端末に伝送され、ＭＡＣ衝突解決メッセージがデータ領域を通して端末に伝送される場合の実施例における端末の動作を説明する。
【００５４】
前記端末が前記基地局から前記資源割り当てメッセージを受信する前にＬ１／Ｌ２制御チャネルを通して自身の臨時Ｃ−ＲＮＴＩを受信し、受信された前記臨時Ｃ−ＲＮＴＩによって指示されるＭＡＣ衝突解決メッセージを受信する場合、前記端末は、前記ＭＡＣ衝突解決メッセージが自身の個人Ｃ−ＲＮＴＩを含んでいるかを確認する。前記ＭＡＣ衝突解決メッセージに前記端末の個人Ｃ−ＲＮＴＩが含まれている場合、前記端末は、自身がランダムアクセスに成功したと判断し、Ｌ１／Ｌ２制御チャネルを通して自身の個人Ｃ−ＲＮＴＩを含む前記資源割り当てメッセージの受信をモニタリングする。予め設定された一定時間内に前記資源割り当てメッセージを受信していない場合、前記端末はランダムアクセス過程を再び開始する。前記端末が前記一定時間内に前記資源割り当てメッセージを受信する場合、前記資源割り当てメッセージによって割り当てられる無線資源を通してアップリンクデータを前記基地局に伝送する。
【００５５】
前記端末が前記ＭＡＣ衝突解決メッセージよりＬ１／Ｌ２制御チャネルを通して自身の個人Ｃ−ＲＮＴＩを含む前記資源割り当てメッセージを先に受信した場合、前記端末は、前記ＭＡＣ衝突解決メッセージの受信可否と関係なしに自身がランダムアクセスに成功したと判断し、前記資源割り当てメッセージによって割り当てられる無線資源を通してアップリンクデータを前記基地局に伝送する。前記端末が前記資源割り当てメッセージを受信した後、Ｌ１／Ｌ２制御チャネルを通して自身の臨時Ｃ−ＲＮＴＩを受信する場合、前記端末は、前記臨時Ｃ−ＲＮＴＩによって指示されるパケットデータを無視する。
【００５６】
図５及び図６において、前記衝突解決メッセージ及び連結設定メッセージまたは資源割り当てメッセージは、前記端末が伝送したランダムアクセスプリアンブルに含まれたシグネチャまたは前記ランダムアクセスプリアンブルのために使用された無線資源と関連した情報を含むことができる。他の例として、前記衝突解決メッセージ及び連結設定メッセージまたは資源割り当てメッセージは、前記連結要請メッセージまたはスケジューリング要請メッセージを伝送するために使用された無線資源と関連した情報を含むことができる。ここで、前記無線資源は、周波数及び／または時間と関連した情報を含む。このとき、前記端末は、前記衝突解決メッセージ及び連結設定メッセージまたは資源割り当てメッセージに自身が伝送した該当のプリアンブルシグネチャまたは無線資源と関連した情報が含まれている場合、前記衝突解決メッセージ及び連結設定メッセージまたは資源割り当てメッセージが自身のためのメッセージであると認識し、前記衝突解決メッセージ及び連結設定メッセージまたは資源割り当てメッセージの内容にしたがって動作する。
【００５７】
以上説明した各実施例は、本発明の構成要素と特徴が所定の形態で結合されたものである。各構成要素または特徴は、別途の明示的な言及がない限り選択的なものとして考慮されるべきである。各構成要素または特徴は、他の構成要素や特徴と結合されない形態で実施される。また、一部の構成要素及び／または特徴を結合して本発明の実施例を構成することも可能である。本発明の各実施例で説明される各動作の順序は変更可能である。一実施例の一部構成や特徴は、他の実施例に含まれるか、または、他の実施例の対応する構成または特徴に取り替えられる。特許請求の範囲で明示的な引用関係のない請求項をそれぞれ結合して実施例を構成したり、出願後の補正によって新しい請求項を含ませることができることは自明である。
【００５８】
本文書において、本発明の各実施例は、基地局と端末との間のデータ送受信関係を中心に説明してきた。ここで、基地局は、端末と直接的に通信を行うネットワークの終端ノードとしての意味を有する。本文書において、基地局によって行われるものとして説明された特定の動作は、場合によって基地局の上位ノードによって行われることもある。すなわち、基地局を含む多数のネットワークノードからなるネットワークで端末との通信のために行われる多様な動作は、基地局または基地局以外の他のネットワークノードによって行われることが自明である。‘基地局’は、固定局、Ｎｏｄｅ  Ｂ、ｅＮｏｄｅ  Ｂ（ｅＮＢ）、アクセスポイントなどの用語に取り替えられる。また、‘端末’は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に取り替えられる。
【００５９】
本発明に係る実施例は、多様な手段、例えば、ハードウェア、ファームウェア、ソフトウェアまたはそれらの結合などによって具現される。ハードウェアによる具現の場合、本発明の一実施例に係る無線通信システムでのランダムアクセス方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現される。
【００６０】
ファームウェアやソフトウェアによる具現の場合、本発明の一実施例に係る無線通信システムでのランダムアクセス方法は、以上で説明した機能または動作を行うモジュール、手順、関数などの形態で具現される。ソフトウェアコードは、メモリユニットに保存されてプロセッサによって駆動される。前記メモリユニットは、前記プロセッサの内部または外部に位置し、既に公知の多様な手段によって前記プロセッサとデータを取り交わすことができる。
【００６１】
本発明は、本発明の精神及び必須的特徴を逸脱しない範囲で他の特定の形態に具体化されることは当業者にとって自明である。したがって、上述した詳細な説明は、全ての面で制限的に解析されてはならなく、例示的なものとして考慮されるべきである。本発明の範囲は、添付された請求項の合理的な解析によって決定されるべきで、本発明の等価的範囲内での全ての変更は本発明の範囲に含まれる。
【産業上の利用可能性】
【００６２】
本発明は、移動通信システムや無線インターネットシステムなどのような無線通信システムで用いられる。
【図１】
2010507322.tif 000003
【図２】
2010507322.tif 000004
【図３Ａ】
2010507322.tif 000005
【図３Ｂ】
2010507322.tif 000006
【図４】
2010507322.tif 000007
【図５】
2010507322.tif 000008
【図６】
2010507322.tif 000009
【国際調査報告】
2010507322.tif 000010
2010507322.tif 000011